(57)【要約】製造ラインでテキスタイル製品にプリーツを形成するための自動化方法を提供する。この方法は、製造ラインのコンベア上でテキスタイル製品のウェブを搬送することを含む。ウェブは、製造ライン内の折り畳みステーションで折り畳みボードを使用して折り畳まれる。この方法は、折り畳みボードから熱を除去することを含む。自動化方法は、テキスタイル製品のウェブと折り畳みボードとの間の摩擦によって生じる熱からテキスタイル製品を損傷させることなく、テキスタイル製品を高速で折り畳むことを可能にする。【選択図】図３
2020537053.tif 000002
【特許請求の範囲】
【請求項１】
製造ラインにおいてテキスタイル製品にプリーツを形成するための自動化方法であって、
前記製造ラインのコンベア上でテキスタイルのウェブを搬送するステップと、
前記製造ラインの折り畳みステーションにおいて折り畳みボードを使用してウェブを折りたたむステップと、
前記折り畳みボードから熱を取り除くステップと、を含む、自動化方法。
【請求項２】
前記折り畳みボードから熱を除去するステップは、製造中に前記折り畳みボードを約３５０°Ｆ（約１７６℃）未満の温度に維持するステップを含む、請求項１に記載の自動化方法。
【請求項３】
前記ウェブが、毎分約２００フィートから毎分約９００フィート（６０.９６メートルから２７４．３２メートル）の間の速度で搬送される、請求項２に記載の自動化方法。
【請求項４】
前記折り畳みボードから熱を除去するステップは、前記折り畳みボードに向けられた空気の流れを提供するステップと、
前記折り畳みボードを通る液体の流れを提供するステップと、
前記折り畳みボードに不連続面を提供するステップと、および、
前記折り畳みボードまたは前記折り畳みボードに熱的に接合された構造の少なくとも１つに沿ってサーマルフィンを提供するステップの少なくとも１つを含む、請求項１に記載の自動化方法。
【請求項５】
前記折り畳みボードから熱を除去するステップは、前記折り畳みボードおよび前記折り畳みボードに熱的に接合された構造の少なくとも１つに取り付けられたサーマルフィンを提供するステップを含む、請求項１に記載の自動化方法。
【請求項６】
前記折り畳みボードから熱を除去するステップは、前記折り畳みボードが、前記ウェブと接触する接触領域に隣接する折り畳みボードの外面に向けられた空気の流れを提供するステップを含む、請求項１に記載の自動化方法。
【請求項７】
前記折り畳みボードから熱を除去するステップは、前記折り畳みボード内の通路を通る流体の流れを提供するステップを含む、請求項１に記載の自動化方法。
【請求項８】
前記流体が気体であり、前記折り畳みボードの接触面に隣接して配置された少なくとも１つの出口を通って前記通路から流出し、
前記折り畳みボードの接触面がウェブに接触する、請求項７に記載の自動化方法。
【請求項９】
前記折り畳みボードから熱を除去するステップは、前記流体を冷却することを含む、請求項７に記載の自動化方法。
【請求項１０】
前記折り畳みボードから熱を除去するステップは、閉回路を通して流体を循環させることを含む、請求項９に記載の自動化方法。
【請求項１１】
前記流体が液体である、請求項７に記載の自動化方法。
【請求項１２】
製造ラインでテキスタイル製品のウェブにプリーツを形成するための自動化製造ラインシステムであって、
前記テキスタイル製品の前記ウェブを搬送するコンベアと、
一対の折り畳みボードを含む折り畳みボードアセンブリと、を、有し、
前記折り畳みボードアセンブリが、前記ウェブが前記折り畳みボードアセンブリを通過するときに前記ウェブを折り畳み、かつ一対の前記折り畳みボードの少なくとも一方から熱を除去するように構成されている、自動化製造ラインシステム。
【請求項１３】
前記折り畳みボードアセンブリは、コンベアが毎分約２００フィートから約９００フィート（６０.９６メートルから２７４．３２メートル）の間の速度でウェブを運ぶ間、前記一対の折り畳みボードを約３５０°Ｆ（約１７６℃）未満の温度に維持するように構成されている、請求項１２に記載の自動化製造ラインシステム。
【請求項１４】
前記折り畳みボードアセンブリは、冷却流体と前記折り畳みボードアセンブリに熱的に接合されたサーマルフィンとを使用して、少なくとも一対の折り畳みボードから熱を除去するよう構成された少なくとも一つの冷却システムを含む、請求項１２に記載の自動化製造ラインシステム。
【請求項１５】
前記折り畳みボードアセンブリが、冷却流体を使用して前記一対の折り畳みボードを冷却するように構成された冷却システムを含む、請求項１２に記載の自動化製造ラインシステム。
【請求項１６】
前記一対の折り畳みボードの少なくとも一方が、前記冷却システムが前記冷却流体を提供するように構成された通路を含む、請求項１５に記載の自動化製造ラインシステム。
【請求項１７】
前記冷却流体が熱交換器を通って流れるときに、前記冷却流体を冷却するように構成された前記熱交換器をさらに備える、請求項１６に記載の自動化製造ラインシステム。
【請求項１８】
前記一対の折り畳みボードの少なくとも一方に熱的に接合された構造をさらに含み、
前記冷却システムは、前記構造を通して前記冷却流体を提供するように構成された、請求項１５に記載の自動化製造ラインシステム。
【請求項１９】
前記冷却システムが閉回路システムである、請求項１５に記載の自動化製造ラインシステム。
【請求項２０】
前記冷却システムは、前記一対の折り畳みボードの少なくとも一方内に配置されたチューブを含み、前記チューブを通して前記冷却流体を循環させるように構成される、請求項１５に記載の自動化製造ラインシステム。
【請求項２１】
前記冷却流体が液体である、請求項１５に記載の自動化製造ラインシステム。
【請求項２２】
前記冷却流体が気体である、請求項１５に記載の自動化製造ラインシステム。
【請求項２３】
前記一対の折り畳みボードの少なくとも一方が、ウェブに接触する表面と、表面に隣接して配置された出口とをさらに含み、
前記気体が前記出口を通じて流出するように、前記出口が通路と流体接続している、請求項２２に記載の自動化製造ラインシステム。
【請求項２４】
前記冷却流体が空気であり、前記冷却システムが、前記一対の折り畳みボードの少なくとも一方と前記ウェブとの間の接触領域に向けられる外部空気流を提供するように構成される、請求項１５に記載の自動化製造ラインシステム。
【請求項２５】
前記一対の折り畳みボードの少なくとも一方が不連続面を有する、請求項１２に記載の自動化製造ラインシステム。
【請求項２６】
前記一対の折り畳みボードが、前記不連続面がウェブに接触するように配置されている、請求項２５に記載の自動化製造ラインシステム。
【請求項２７】
前記不連続面が、ディンプル、バンプ、孔、スロット、溝、またはそれらの組み合わせを含む、請求項２５に記載の自動化製造ラインシステム。
【請求項２８】
前記一対の折り畳みボードが交互配置される、請求項１２に記載の自動化製造ラインシステム。
【請求項２９】
前記一対の折り畳みボードの少なくとも一方が、前記ウェブと前記折り畳みボードとの間の境界面にローラを含む、請求項１２に記載の自動化製造ラインシステム。
【請求項３０】
前記折り畳みボードアセンブリは、前記製造ラインの機械方向および横機械方向に概ね平行なプレートを含み、
前記一対の折り畳みボードの少なくとも一方は、概ね機械方向に延びる前縁および後縁を有し、
前記後縁は横機械方向の前縁からオフセットされている、請求項１２に記載の自動化製造ラインシステム。
【請求項３１】
前記前縁が前記プレートから前記プレートに概ね垂直な方向に延び、前記後縁が前記プレートに概ね平行な方向に配置される、請求項３０に記載の自動化製造ラインシステム。
【請求項３２】
前記折り畳みボードアセンブリが低摩擦コーティングを含む、請求項１２に記載の自動化製造ラインシステム。
【請求項３３】
製造ラインのテキスタイル製品にプリーツを形成するための自動化方法であって、
前記製造ラインのコンベア上でテキスタイル製品のウェブを毎分約２００フィートから約９００フィート（６０.９６メートルから２７４．３２メートル）の間の速度で搬送するステップと、
前記製造ラインの折り畳みステーションにおいて、複数のローラを含む折りたたみアセンブリを使用して前記ウェブを折り畳むステップと、
前記複数のローラを約３５０°（約１７６℃）Ｆ未満の温度に維持するステップと、を含む、自動化方法。
【請求項３４】
テキスタイル製品のウェブにプリーツを形成するための自動化製造ラインシステムであって、
前記製造ラインシステムのコンベア上で前記テキスタイル製品の前記ウェブを毎分約２００フィートから約９００フィート（６０.９６メートルから２７４．３２メートル）の速度で搬送するコンベアと、
前記ウェブが折り畳みアセンブリを通過するときに、前記ウェブを折り畳むように構成された複数のローラを含む折り畳みアセンブリと、を有し、
前記折り畳みアセンブリは、複数のローラを約３５０°（約１７６℃）Ｆ未満の温度に維持するように構成される、自動化製造ラインシステム。
【発明の詳細な説明】
【技術分野】
【０００１】
本発明は、概して、保護用フェイスマスク製品などのテキスタイル製品の分野に関し、より具体的には、テキスタイル製品にプリーツを形成するための方法およびシステムに関する。
【背景技術】
【０００２】
フェイスマスク、および手術用ガウン、手術用ドレープ、ブーファントキャップなどのその他の個人用保護具（ＰＰＥ）の使用は、病気の蔓延を防ぐために医療業界で推奨される方法である。たとえば、医療提供者が着用するフェイスマスクは、着用者から吐き出された空気をろ過することで感染の拡大を防ぎ、環境に放出される有害な微生物やその他の汚染物質の数を減らすことに役立つ。同様に、フェイスマスクは、着用者が吸い込んだ空気をろ過することで感染の拡大を抑え、着用者を保護することに役立つ。  
【０００３】
これは、結核菌（ＴＢ）、鳥インフルエンザ（Ｈ７Ｎ９）ウイルス、中東呼吸器症候群コロナウイルス（ＭＥＲＳ−ＣｏＶ）、Ｈ１Ｎ１ウイルスなどの感染症のアウトブレイクまたは流行の拡大を遅らせて阻止するために特に重要である。医療提供者は、既知または未知のウイルス性疾患または細菌性疾患の感染が疑われる患者を治療するときにマスクを着用する場合があり、同様に、そのような患者はフェイスマスクを使用して、排出された細菌またはウイルスをろ過して封じ込めることにより、疾患の拡大を防ぐことができる。流行病の発生が、たとえばパンデミックレベルまで検出されると、フェイスマスク、人工呼吸器、およびその他のＰＰＥの必要性が急速に高まり、供給を超えて一時的な不足を引き起こす可能性がある。したがって、この需要の急増に迅速に対応し、アウトブレイクや伝染病を封じ込めるためには、フェイスマスクやその他のＰＰＥの高速製造が不可欠である。
【０００４】
フェイスマスクは、他のＰＰＥと共に、プリーツの付いた生地や素材を含むことがしばしばある。
【０００５】
ティッシュペーパーやおむつなどの他の製品も同様に、プリーツまたは折り畳まれた素材を含む場合がある。これらの製品の高速製造中、その生地はしばしば折り畳みボードとして知られている装置を介してまたはその装置を介して引っ張られることによりプリーツを付けまたは折り畳まれる。折り畳みボードは一般に、布を強制的に折り畳んだりプリーツを付けたりするための１以上の付属物を有する。
【０００６】
生地と折り畳みボードの間の摩擦により熱が発生するが、高い製造率では、この熱が蓄積して、折り畳みボード、その周辺機器、または生地自体が適切な動作温度を超えて加熱され、機器、生地、またはその両方への望ましくない欠陥または損傷を引き起こす。
【０００７】
この熱の蓄積は、熱発生率と熱放散率の双方が作用している。生地の物理的特性、折り畳みボード上で生地が引っ張られる速度、折り畳みボードの形状と材料特性など、いくつかの要因が発熱率に影響する。熱が対流と伝導を通じて放散する速度は、同様に折り畳みボードの特性に依存し、さらに、折り畳みボードを取り巻く空気の動きに依存する。
【０００８】
折り畳みボードと生地の間の熱の蓄積は、フェイスマスクなどのプリーツ付き材料の製造速度を不要に制限する可能性がある。したがって、製造速度の向上を可能にするために、熱の蓄積を低減する折り畳みボード装置および関連する使用方法が必要とされている。従来技術システムと比較して製造速度の増加を可能にするために、特に、摩擦熱の生成がより少ない、或いはそのような熱をより効果的に放散することができる、またはその両方の特徴を備えた折り畳みボードが要望されている。
【発明の概要】
【課題を解決するための手段】
【０００９】
本発明の目的および利点は、以下の説明に記載されているか、または説明から明らかであるか、または本発明の実施を通じて学習され得る。
【００１０】
本発明の態様によれば、製造ラインのテキスタイル製品にプリーツを形成するための自動化方法が提供される。この方法は、前記テキスタイル製品のウェブを搬送することを含む。前記ウェブは、前記製造ラインの折り畳みステーションで折り畳みボードを使用して折り畳まれる。この方法は、前記折り畳みボードから熱を除去するステップを含む。
【００１１】
特定の実施形態では、この方法は、製造中に前記折り畳みボードを約３５０°Ｆ（約１７６℃）未満の温度に維持するステップを含む。いくつかの実施形態では、前記ウェブは、毎分約２００フィートから毎分約９００フィート（６０.９６メートルから２７４．３２メートル）の間の速度で搬送されてもよい。
【００１２】
特定の実施形態では、前記折り畳みボードから熱を除去するステップは、前記折り畳みボードに向けられた空気の流れを提供するステップと、前記折り畳みボードを通る液体の流れを提供するステップと、前記折り畳みボードに不連続面を提供するステップと、前記折り畳みボードおよび前記折り畳みボードに熱的に接合された構造の少なくとも１つに沿ってサーマルフィンを提供するステップの少なくとも１つを含む。
【００１３】
別の特定の実施形態では、折り畳みボードから熱を除去するステップは、前記折り畳みボードおよび前記折り畳みボードに熱的に接合された構造の少なくとも１つに取り付けられたサーマルフィンを提供するステップを含む。
【００１４】
別の特定の実施形態では、前記折り畳みボードから熱を除去するステップは、前記折り畳みボードが、前記ウェブと接触する接触位置に隣接する折り畳みボードの外面に向けられた空気の流れを提供するステップを含む。
【００１５】
別の特定の実施形態では、前記折り畳みボードから熱を除去するステップは、前記折り畳みボード内の通路を通る流体の流れを提供するステップを含む。
【００１６】
一実施形態では、前記流体が気体であってよく、前記折り畳みボードの接触面に隣接して配置された少なくとも１つの出口を通って前記通路から退出し、前記折り畳みボードの接触面がウェブに接触してよい。
【００１７】
一実施形態では、前記折り畳みボードから熱を除去するステップは、前記流体を冷却することを含む。 
【００１８】
一実施形態では、前記折り畳みボードから熱を除去するステップは、閉回路を通して流体を循環させることをさらに含む。いくつかの実施形態では、冷却流体は液体である。
【００１９】
本発明の他の態様によれば、自動化製造ラインシステムは、製造ラインでテキスタイル製品のウェブにプリーツを形成するために提供される。前記システムは、前記テキスタイル製品の前記ウェブを搬送するコンベアと、また、一対の折り畳みボードを含む折り畳みボードアセンブリとを有し、前記折り畳みボードアセンブリが、前記ウェブが前記折り畳みボードアセンブリを通過するときに前記ウェブを折り畳み、かつ一対の前記折り畳みボードの少なくとも一方から熱を除去するように構成されている。
【００２０】
特定の実施形態では、前記折り畳みボードアセンブリは、コンベアが毎分約２００フィートから約９００フィート（６０.９６メートルから２７４．３２メートル）の間の速度でウェブを運ぶ間、前記一対の折り畳みボードを約３５０°Ｆ（約１７６℃）未満の温度に維持するように構成されている。
【００２１】
別の特定の実施形態では、前記自動化製造ラインシステムの前記折り畳みボードアセンブリは、気体または液体などの冷却流体と前記折り畳みボードアセンブリに熱的に接合されたサーマルフィンとを使用して、少なくとも一対の折り畳みボードから熱を除去するよう構成された少なくとも一つの冷却システムを含む。
【００２２】
別の特定の実施形態では、前記折り畳みボードアセンブリは、冷却流体を使用して前記一対の折り畳みボードを冷却するように構成された冷却システムを含む。
【００２３】
一実施形態では、前記一対の折り畳みボードの少なくとも一方が、前記冷却システムが前記冷却流体を提供するように構成された通路を含む。
【００２４】
別の特定の実施形態では、折り畳みボードアセンブリは、前記冷却流体が熱交換器を通って流れるときに、前記冷却流体を冷却するように構成された前記熱交換器を含む。
【００２５】
別の特定の実施形態では、前記折り畳みボードアセンブリは、前記一対の折り畳みボードの少なくとも一方に熱的に接合された構造を含み、前記冷却システムは、前記構造を通して前記冷却流体を提供するように構成される。
【００２６】
別の特定の実施形態では、前記冷却システムは閉回路システムである。
【００２７】
別の特定の実施形態では、前記冷却システムは、前記一対の折り畳みボードの少なくとも一方内に配置されたチューブを含み、前記チューブを通して前記冷却流体を循環させるように構成される。
【００２８】
いくつかの実施形態では、前記冷却流体は液体であってよい。
【００２９】
他の実施形態では、前記冷却流体は気体であってよい。
【００３０】
別の特定の実施形態では、前記一対の折り畳みボードの少なくとも一方が、ウェブに接触する表面と、表面に隣接して配置された出口とをさらに含み、前記気気体が前記出口を通じて流れ出るように、前記出口が通路と流体連通している。
【００３１】
別の特定の実施形態では、前記冷却流体が空気であり、前記冷却システムが、前記一対の折り畳みボードの少なくとも一方と前記ウェブとの間の接触領域に向けられる外部空気流を提供するように構成される。
【００３２】
別の特定の実施形態では、前記一対の折り畳みボードの少なくとも一方が不連続面を有する。
【００３３】
一実施形態では、前記一対の折り畳みボードが、前記不連続面がウェブに接触するように配置されている。
【００３４】
別の特定の実施形態では、前記不連続面は、ディンプル、バンプ、孔、スロット、溝、またはそれらの組み合わせを含む。
【００３５】
別の特定の実施形態では、前記一対の折り畳みボードは交互配置される。
【００３６】
別の特定の実施形態では、前記一対の折り畳みボードの少なくとも一方は、そこから突出する複数の付属物と、複数の付属物によって画定される不連続面とを含む。
【００３７】
別の特定の実施形態では、前記複数の付属物のうちの少なくとも１つは、前記複数の付属物が突出する前記折り畳みボードの最大高さよりも低い高さを有する。
【００３８】
別の特定の実施形態では、前記複数の付属物のうちの少なくとも１つは、前記複数の付属物が突出する前記折り畳みボードの最大高さの２０％から９５％の間の高さを有する。
【００３９】
前記一対の折り畳みボードの少なくとも一方は、前記ウェブと前記折り畳みボードとの間の境界面にローラを含む。
【００４０】
別の特定の実施形態では、前記折り畳みボードアセンブリは、前記製造ラインの機械方向および横機械方向に概ね平行なプレートを含み、前記一対の折り畳みボードの少なくとも一方は、概ね機械方向に延びる前縁および後縁を有し、前記後縁は前縁から横機械方向においてオフセットされている。
【００４１】
別の特定の実施形態では、前記前縁は、前記プレートから前記プレートに概ね垂直な方向に延在し、前記後縁がプレートに概ね平行な方向に配向される。
【００４２】
本発明の態様によれば、製造ラインのテキスタイル製品にプリーツを形成するための自動化方法が提供される。この方法は、製造ラインのコンベア上でテキスタイル製品のウェブを毎分約２００フィートから約９００フィート（６０.９６メートルから２７４．３２メートル）の間の速度で搬送するステップと、前記製造ラインの折り畳みステーションにおいて、複数のローラを含む折り畳みボードアセンブリを使用してウェブを折り畳むステップと、前記複数のローラを約３５０°Ｆ（約１７６℃）未満の温度に維持すステップを含む。
【図面の簡単な説明】
【００４３】
当業者に対する最良の形態を含む、本発明を完全かつ可能にする開示は、添付の図面への参照を含む、本明細書の残りの部分でより具体的に説明する。
【００４４】
【図１】自動化製造ラインシステムの概略図である。
【図２】折り畳みボードアセンブリの斜視図である。
【図３】折り畳みボードアセンブリの等角図である。
【図４】折り畳みボードアセンブリの上面図である。
【図５】折り畳みボードアセンブリの側面図である。
【図６Ａ】ウェブが折り畳みボードアセンブリを通って機械方向に移動するときのウェブと折り畳みボードの連続図である。
【図６Ｂ】ウェブが折り畳みボードアセンブリを通って機械方向に移動するときのウェブと折り畳みボードの連続図である。
【図６Ｃ】ウェブが折り畳みボードアセンブリを通って機械方向に移動するときのウェブと折り畳みボードの連続図である。
【図７】冷却システムの概略図である。
【図８Ａ】折り畳みボードの様々な実施形態の図である。
【図８Ｂ】折り畳みボードの様々な実施形態の図である。
【図８Ｃ】折り畳みボードの様々な実施形態の図である。
【図８Ｄ】折り畳みボードの様々な実施形態の図である。
【図８Ｅ】折り畳みボードの様々な実施形態の図である。
【図８Ｆ】折り畳みボードの様々な実施形態の図である。
【図８Ｇ】折り畳みボードの様々な実施形態の図である。
【図８Ｈ】折り畳みボードの様々な実施形態の図である。
【００４５】
本明細書および図面における参照符号の繰り返しの使用は、本発明の同一または類似の特徴または要素を表すことを意図している。
【発明を実施するための形態】
【００４６】
次に、本発明の様々な実施形態を詳細に参照し、その１または複数の例を以下に示す。各例は、本発明の説明のために提供され、本発明を限定するものではない。実際、本発明の範囲または精神から逸脱することなく、本発明において様々な修正および変更を行うことができることは、当業者には明らかであろう。例えば、一実施形態の一部として図示または説明されている特徴を別の実施形態で使用して、さらに別の実施形態をもたらすことがある。したがって、本発明は、添付の特許請求の範囲およびそれらの同一の範囲内にあるような修正および変形を網羅することが意図されている。本願の目的のために、類似の特徴は、図の間の類似の番号によって示している。
【００４７】
一般的に言えば、本発明は、製造ラインにおいてテキスタイル製品にプリーツを形成するための自動化方法およびそのための自動化製造ラインシステムに関する。自動化製造ラインシステムは、例えば、毎分約２００フィートから毎分約９００フィート（６０.９６メートルから２７４．３２メートル）の間の速度でウェブを搬送するコンベアを含むとよい。本発明の目的のために、用語「テキスタイル製品」は、一般に「不織布ウェブ」と呼ばれ、個々の繊維または糸が交互に配置されているが、識別可能で反復的な方法ではない構造を有するウェブを含む。不織布ウェブは、過去において、例えば、メルトブローイングプロセス、スパンボンドプロセス、および接着カードウェブプロセスなどの様々なプロセスによって形成されてきた。
【００４８】
用語「メルトブローン繊維」とは、溶融した熱可塑性材料を、溶融した糸またはフィラメントとして複数の微細な、通常は円形のダイキャピラリーを介して、溶融した熱可塑性材料のフィラメントを減衰させて直径を小さくする高速気体（例えば、空気）流に押し出すことによって形成された繊維を意味し、これは、マイクロファイバーの直径であってもよい。
【００４９】
その後、メルトブローン繊維は高速気体流によって運ばれ、収集表面に堆積して、ランダムに分散されたメルトブローン繊維のウェブを形成する。
【００５０】
用語「スパンボンド繊維」は、溶融した熱可塑性材料を、通常は円形の細いキャピラリーの複数の紡糸口金からフィラメントとして押し出し、押し出されたフィラメントの直径を、例えば、エダクティブドローイングまたは他のよく知られたスパンボンド機構によって急速に減少させることにより形成される小径の繊維を意味する。
【００５１】
自動化製造ラインシステムは、一対の折り畳みボードを有する折り畳みボードアセンブリを含んでいてもよい。折り畳みボードアセンブリは、ウェブが通過するときにウェブを折り畳むように構成されている。例えば、ウェブが折り畳みボードアセンブリを通過するとき、一対の折り畳みボードは、ウェブを折り畳んでもよい。このプロセス中、ウェブと折り畳みボードアセンブリ間の摩擦により熱が発生し、折り畳みボードアセンブリの温度が上昇し、ウェブが加熱されるが、多くのテキスタイル製品は熱に敏感であり、高温で損傷することがある。そのような損傷は、材料の一部を変色または変形させることによりテキスタイル製品の審美的魅力を低下させ、重度な場合には穴が開いたり、変形したりしてテキスタイル製品が完全に使用できなくなる可能性がある。
【００５２】
開示されたシステムおよび方法を使用して折り畳むことができるテキスタイル製品の例として、例えば、ポリプロピレン、ポリエチレン、またはポリエステルから形成された様々な製品が含まれる。これらの材料は、例えば、繊維グレードのスパンボンドポリプロピレン（ＳＢＰＰ）、繊維グレードのメルトブローンポリプロピレン（ＭＢＰＰ）、および低密度ポリエチレン（ＬＤＰＥ）を含んでいてもよい。
【００５３】
しかしながら、任意の適切なテキスタイル製品のウェブは、本明細書に開示される自動化製造ラインシステムおよび方法を使用して折り畳まれてもよい。
【００５４】
いずれにせよ、これらの材料は、材料が過度の熱により損傷を受けるそれぞれの融点を有する。たとえば、繊維グレードのＳＢＰＰは一般に２２０°Ｆから２９０°Ｆ（約１０４℃から約１４３℃）の範囲の溶融温度を有し、繊維グレードのＭＢＰＰは一般に２７０°Ｆから３１０°Ｆ（約１３２℃から約１５４℃）の範囲の溶融温度を有する。さらに、繊維グレードのＬＤＰＥは一般に２５５°Ｆから２７５°Ｆ（約１２３℃から１３５℃）の範囲の溶融温度を有する。
【００５５】
したがって、温度に敏感な材料への損傷を防ぐために、いくつかの実施形態では、ウェブが毎分約２００フィートから毎分約９００フィート（６０．９６メートルから２７４．３２メートル）の間の速度で搬送されている間、折り畳みボードアセンブリは、製造中に約３５０°Ｆ（約１７６℃）未満の温度に維持されてもよい。
【００５６】
しかしながら、他の実施形態では、折り畳みボードアセンブリは、さらに大きな温度感受性を有する材料を折り畳むために使用されることがあるため、より低い温度に維持されてもよい。
【００５７】
例えば、いくつかの実施形態では、折り畳みボードアセンブリは、約３２５°Ｆ（約１６２℃）未満の温度に維持されてもよい。他の実施形態では、折り畳みボードアセンブリは、約３００°Ｆ（１４８℃）未満の温度に維持されてもよい。他の実施形態では、折り畳みボードアセンブリは、約２７５°Ｆ（１３５℃）未満の温度に維持されてもよい。他の実施形態では、折り畳みボードアセンブリは、約２５０°Ｆ（約１２１℃）未満の温度に維持されてもよい。一部の実施形態では、折り畳みボードアセンブリは、約２４０°Ｆ（約１１５℃）未満の温度に維持されてもよい。他の実施形態では、折り畳みボードアセンブリは、約２２０°Ｆ（約１０４℃）未満の温度に維持されてもよく、他の実施形態では、折り畳みボードアセンブリは、約２００°Ｆ（約９３℃）未満の温度に維持されてもよい。折り畳みボードは、折り畳まれているテキスタイル製品の特性に応じて、さらに低い温度に維持されることがある。本明細書で使用される場合、「約」は、列挙された値の±５％以内に入る値を包含するために使用される。
【００５８】
能動的または受動的冷却システムおよび方法を使用して、折り畳みボードから熱を除去し、折り畳みボードアセンブリの温度を維持し、折り畳みボードアセンブリの過度の加熱を防止してもよい。例えば、自動化製造ラインシステムは、冷却流体を使用して一対の折り畳みボードを冷却するように構成された冷却システムを含んでもよい。冷却システムは、折り畳みボードの一方の内部の通路、折り畳みボードの外周、またはそれらの両方に冷却流体を移動させてもよい。この冷却システムは、一対の折り畳みボードを冷却する他の手段として、液体または気体であってよい流体を移動させるポンプや送風機などを含んでもよい。代替的に、または上記の冷却システムに加えて、いくつかの実施形態では、折り畳みボードアセンブリは、その受動的冷却を増大させるように構成されてもよい。例えば、熱放散を改善するためにサーマルフィンが折り畳みボードアセンブリに熱的に接合されていてもよく、発熱を低減するために折り畳みボードがウェブとの摩擦を最小限に抑えるように設計されていてもよく、またはそれらが組み合わせられていてもよい。
【００５９】
図１は、製造ラインのテキスタイル製品のウェブ１０４にプリーツまたは折り目１１０を形成するための自動化製造ラインシステム１００を示す。製造ラインシステム１００は、テキスタイル製品のウェブ１０４を製造中に搬送する１以上のコンベア１０２を有する。コンベア１０２は、一般に、円筒形状を有するローラであって、テキスタイル製品のウェブ１０４は、それらのそれぞれの外周の一部の周囲でコンベア１０２と接触してもよい。あるいは、コンベア１０２は、例えば真空コンベアを含む、任意の適切な物品コンベアであってもよい。図１に概略的に示すように、コンベア１０２は、折り畳みボードアセンブリ１０６を通過してウェブ１０４を運ぶ。
【００６０】
いくつかの実施形態では、コンベア１０２は、毎分約２００フィートから毎分約９００フィート（６０.９６メートルから２７４．３２メートル）の間の速度でウェブ１０４を搬送してもよい。いくつかの実施形態では、コンベア１０２は、毎分約３００フィートから毎分約９００フィート（９１．４４メートルから２７４．３２メートル）の間の速度でウェブ１０４を搬送してもよい。いくつかの実施形態では、コンベア１０２は、毎分約４００フィートから毎分約９００フィート（１２１．９２メートルから２７４．３２メートル）の間の速度でウェブ１０４を搬送してもよい。いくつかの実施形態では、コンベア１０２は、毎分約５００フィートから毎分約７００フィート（１５２．４メートルから２１３．３６メートル）の間の速度でウェブ１０４を搬送してもよい。他の実施形態では、コンベア１０２は、毎分約５５０フィートから毎分約７５０フィート（１６７．６４メートルから２２８．６メートル）の間の速度でウェブ１０４を搬送してもよい。
【００６１】
図２は、折り畳みボードアセンブリ１０６およびそれを通過するウェブ１０４の一実施形態の斜視図を示している。しかしながら、本明細書に開示される方法およびシステムは、任意の適切な折り畳みボードアセンブリに適用可能である。ウェブ１０４は、折り畳みボードアセンブリ１０６へ機械方向１０８に入る。折り畳みボードアセンブリ１０６は、機械方向１０８と、機械方向１０８に垂直である横機械方向１１１の両方に概ね平行な１または複数のプレート１１４、１１６を含む。１組の上部折り畳みボード１１２が上部プレート１１４に取り付けられ、１組の下部折り畳みボード１１３（図３参照）が下部プレート１１６に取り付けられる。折り畳みボード１１２、１１３は、概ね機械方向１０８に延びる。
【００６２】
ウェブ１０４は、横機械方向１１１において第１の幅１２０を有する折り畳みボードアセンブリ１０６へ入り、横機械方向１１１において第１の幅１２０よりも小さい第２の幅１２２を有する折り畳みボードアセンブリ１０６から出る。折り畳みボードアセンブリ１０６は、ウェブ１０４にプリーツ１１０を形成することにより、ウェブ１０４の幅を実質的に減少させる。さらに図２に示すように、平坦化部材１２６が、折り畳みボードアセンブリ１０６の下流に配置されていてもよい。平坦化部材１２６は、ウェブ１０４の後の処理中にそれらの形状を維持するために、新しく形成されたプリーツ１１０をプレスする。例えば、後の処理において、ウェブ１０４は、長方形片に切断され、フェイスマスクまたは他の適切な物品に形成されてもよい。
【００６３】
図３は、折り畳みボードアセンブリ１０６の等角図を示している。折り畳みボードアセンブリ１０６は、自動化製造ラインシステム１００において折り畳みボードアセンブリ１０６を支持するように構成された支持構造アセンブリ１２８を含む。支持構造アセンブリ１２８は、１または複数のブラケット１２９、留め具１３１、およびベース部材１３３を含んでもよい。留め具１３１およびブラケット１２９は、折り畳みボードアセンブリ１０６を１または複数のベース部材１３３に取り付ける。ベース部材１３３は、任意の適切な手段を使用して、支持面（図示せず）に取り付けられる。ブラケット１２９は、プレート１１４、１１６の両側に配置された細長い部材として示されているが、支持構造アセンブリ１２８の任意の適切な構成を使用して、折り畳みボードアセンブリ１０６を支持面に取り付けてもよい。例えば、折り畳みボードアセンブリ１０６は、支持表面に溶接又は、接着等されてもよい。
【００６４】
図４および図５は、それぞれ、図１および図２に示された折り畳みボードアセンブリ１０６の上面図および側面図を示す。プレート１１４、１１６は、Ｚ方向１１８において距離１１９分オフセットされている。Ｚ方向１１８は、機械方向１０８および横機械方向１１１の両方に垂直である。折り畳みボードアセンブリ１０６は、折り畳みボード１１２、１１３のペア１１５を３ペア含み、各ペア１１５のそれぞれは、上部折り畳みボード１１２および下部折り畳みボード１１３を含む。さらに、本実施形態では、折り畳みボード１１２、１１３の全体的な配置が、横機械方向１１１において上部折り畳みボード１１２と下部折り畳みボード１１３とが交互になるように、折り畳みボード１１２、１１３の各ペア１１５は、交互配置されている。単一の上部折り畳みボード１１２が、折り畳みボード１１２、１１３の３つのペア１１５の両側に配置されてもよい。
【００６５】
図４および５を参照すると、折り畳みボードアセンブリ１０６は、機械方向１０８に沿って４つのセクション１３６、１３８、１４０、１４２を有する。折り畳みボード１１２、１１３は機械方向１０８と、プレート１１４、１１６の間のＺ方向１１８の概ね両方に延びている。プレート１１４、１１６は、Ｚ方向１１８に対して概ね垂直である。本明細書で使用される場合、「概ね」は、２つの特徴間の相対角度を指す場合、±２０度を意味する。上記で使用したように、プレート１１４、１１６は、Ｚ方向１１８に対して７０度と１００度の間の角度で配置される。
【００６６】
上部および下部折り畳みボード１１２、１１３のそれぞれは、第１のセクション１３６にそれぞれの前縁１３０および第４のセクション１４２にそれぞれの後縁１３２を有する。図４に示すように、折り畳みボード１１２、１１３の後縁１３２は、横機械方向１１１および機械方向１０８において前縁１３０からオフセットされている。折り畳みボード１１２、１１３は、前縁１３０から後縁１３２へと横機械方向１１１に沿って折り畳みボードアセンブリ１０６の中央に向かって概ね収束する。折り畳みボードアセンブリ１０６は、一般的に、後縁１３２よりも折り畳みボード１１２、１１３の前縁１３０においてより幅広になっている。
【００６７】
図５に最もよく示されているように、折り畳みボードアセンブリ１０６の第１のセクション１３６において、上部折り畳みボード１１２の前縁１３０は、Ｚ方向１１８において上部プレート１１４から下方に突出している。同様に、下部折り畳みボード１１３の前縁１３０は、Ｚ方向１１８において下部プレート１１６から上方に突出している。ウェブ１０４が折り畳みボードアセンブリ１０６を通って搬送されると、第１のセクション１３６で、折り畳みボード１１２、１１３のペア１１５がウェブ１０４に係合し、折り畳みボード１１２、１１３間でウェブ１０４を強制的に「ジグザグ」の形態にする。第１および第２のセクション１３６、１３８双方において、折り畳みボード１１２、１１３は、折り畳みボードアセンブリ１０６の中央に向かって内側に角度が付けられている。したがって、ウェブ１０４が第２の第１および第２のセクション１３６、１３８を通って搬送されるとき、ウェブ１０４は横機械方向１１１に一緒に引っ張られる。
【００６８】
第３のセクション１４０では、折り畳みボード１１２、１１３は、機械方向１０８に沿って、プレート１１４、１１６に垂直な方向に概ね延びている。最後に、第４のセクション１４２では、折り畳みボード１１２、１１３がプレート１１４、１１６と概ね平行に配置されるように、折り畳みボード１１２、１１３が機械方向１０８に沿ってねじれる。さらに、横機械方向１１１に沿った折り畳みボード１１２、１１３の端部として画定される折り畳みボード１１２、１１３のそれぞれの後縁１３２もまた、プレート１１４、１１６と概ね平行に配置される。ウェブ１０４が第４のセクション１４２を通って引っ張られるとき、機械方向１０８における折り畳みボード１１２、１１３のねじれは、ウェブ１０４の「ジグザグ」形態を回転させてプリーツ１１０を形成する。
【００６９】
図６Ａ〜６Ｃは、ウェブ１０４が折り畳みボードアセンブリ１０６の最初の３つのセクション１３６、１３８、１４０をそれぞれ通過するときのウェブ１０４の様々な形状プロファイルを示している。図６Ａ〜６Ｃでは、折り畳みボード１１２、１１３は、図５から９０度回転して示されている。プレート１１４、１１６は、明確にするために省略されている。ウェブ１０４は、折り畳みボードアセンブリ１０６（図示せず）に入る前は、横機械方向１１１において概ね平坦である。
【００７０】
図６Ａは、折り畳みボードアセンブリ１０６の第１のセクション１３６におけるウェブ１０４の一般的な形状を示す。折り畳みボード１１２、１１３は、ウェブ１０４を「ジグザグ」の形態にしているが、図５に示すように、第１のセクション１３６では、折り畳みボード１１２、１１３は、プレート１１４、１１６の間の全距離１１９に渡って延びていない。
【００７１】
図６Ｂは、折り畳みボードアセンブリ１０６の第２のセクション１３８におけるウェブ１０４の一般的な形状を示している。折り畳みボード１１２、１１３は、第１のセクション１３６よりも第２のセクション１３８のプレート１１４、１１６の間のＺ方向１１８にさらに延びており、その結果、ウェブ１０４の「ジグザグ」の形態がより顕著になる。第２のセクション１３８では、折り畳みボード１１２、１１３は、ウェブ１０４が通過するのに十分な隙間を残しながら、プレート１１４、１１６の間の距離１１９の大部分を横切って延びてもよい。例えば、上部プレート１１４と下部折り畳みボード１１３の間、および下部プレート１１６と上部折り畳みボード１１２の間のそれぞれの隙間は、ウェブ１０４の厚さよりも１．１倍から４倍大きくてもよい。他の実施形態では、折り畳みボード１１２、１１３は、プレート１１４、１１６間の距離１１９の約７０％から９５％の間で延ばしてもよい。第２のセクション１３８では、横機械方向１１１におけるウェブの全幅は、第１のセクション１３６から減少している。
【００７２】
図６Ｃは、折り畳みボードアセンブリ１０６の第３のセクション１４０におけるウェブ１０４の一般的な形状を示し、折り畳みボード１１２、１１３は、図２に示されたウェブ１０４の第1の幅１２０よりもウェブ１０４の横機械方向１１の幅はさらに減少している。最後に、ウェブ１０４が第４のセクション１４２を通って運搬されると、折り畳みボード１１２、１１３は、機械方向１０８に沿ってねじれて、図２に示すようにウェブ１０４のプリーツ１１０を平坦にする。
【００７３】
図２〜図５に示す折り畳みボードアセンブリの実施形態を参照して説明したが、本明細書に記載されるシステムおよび方法は、当技術分野で知られている任意の適切な折り畳みボードアセンブリに適用可能であることを理解されたい。例えば、別の実施形態では、折り畳みボードは、主に横機械方向１１１およびＺ方向１１８に延びていてもよく、ウェブ１０４が通過する際にウェブ１０４を「ジグザグ」の形態にするための、機械方向１０８に形成された溝を有していてもよい。そのような実施形態では、第２の折り畳みボードは、主に機械方向１０８および横機械方向１１１に延びて、ウェブ１０４の折り畳みを完了することができる。別の実施形態では、１または複数の隣接するローラは、「ジグザグ」の形態を有していてもよく、折り畳みボードがウェブ１０４を平らにしてウェブの折り畳みを完了する前に、ウェブ１０４を「ジグザグ」の形態にするように構成されていてもよい。
【００７４】
上述したように、ウェブ１０４のプリーツ加工の間、ウェブ１０４と折り畳みボードアセンブリ１０６との間の摩擦が熱を発生させる。したがって、本発明は、この熱を放散させ、折り畳みボードアセンブリ１０６の動作温度を低下させる冷却システム１５０を企図する。いくつかの実施形態では、冷却システム１５０は、冷却流体を使用して折り畳みボードアセンブリ１０６を冷却するよう構成される。冷却流体は、液体または気体であってよく、いくつかの実施形態では、冷却流体は、冷却プロセス中に液体と気体の間で状態を変化させてもよい。
【００７５】
冷却システム１５０の一実施形態の概略図が図７に示されている。冷却システム１５０は、折り畳みボードアセンブリ１０６と流体接続するポンプ１５４および熱交換器１５８を含む。ポンプ１５４は、ポンプ１５４、熱交換器１５８、および折り畳みボードアセンブリ１０６を接続する１または複数の導管１６２を通じて冷却流体の流れを提供して、冷却システム１５０を通して冷却流体を循環させる。この実施形態では、冷却システム１５０は、熱交換器１５８から受け取った冷却流体を、折り畳みボードアセンブリ１０６を介して再び循環させる閉回路システムである。冷却システム１５０は、折り畳みボードアセンブリ１０６（矢印１５５にて示す）で生成された摩擦熱を除去し、熱交換器１５８は、周囲領域（矢印１５６にて示す）へ熱を放散する。
【００７６】
折り畳みボードアセンブリ１０６は、１または複数のチューブまたはその中に配置される通路を含み、冷却システム１５０は、チューブまたは通路を通る冷却流体の流れを提供して、折り畳みボードアセンブリ１０６から熱を放散させる。
【００７７】
図８Ａ〜８Ｅは、図４の断面Ａ−Ａに沿った折り畳みボード１１２の様々な実施形態の断面図である。図８Ａに示すように、折り畳みボード１１２、１１３のペア１１５のうちの１または複数は、通路１４４を含むことができ、冷却システム１５０は、通路１４４を通じて冷却流体を提供するように構成してもよい。図８Ａは、概ね機械方向１０８に延びる通路１４４を有する折り畳みボード１１２の一実施形態の断面図を示す。折り畳みボード１１２は、通路１４４と流体的に接続された入口１７０および出口１７４を有していてもよく、それにより、冷却システム１５０は、通路１４４を通って出口１７４から出る冷却流体の流れを入口１７０に提供してもよい。通路１４４は機械方向１０８に沿ってほぼ真っ直ぐに示されているが、任意の適切な形状を有していてもよい。例えば、通路１４４は、その実質的な長さが増加して熱放散を改善するように、折り畳みボード１１２を通ってＺ方向１１８に上向きおよび下向きに折り曲げたり、または巻きつけたりしてもよい。
【００７８】
図８Ｂは、内部に通路１４４が配置された折り畳みボード１１２の別の実施形態を示している。この実施形態では、折り畳みボード１１２は、図８Ａに示す折り畳みボード１１２の外形と同様に成形された露出チューブ１７６を含む。例えば、この実施形態では、折り畳みボード１１２は、主に露出したチューブ１７６からなっていてもよい。チューブ１７６は、入口１７０から出口１７４への通路１４４を提供し、冷却システム１５０はそれを通って、折り畳みボード１１２から熱を放散させるための冷却流体を提供してもよい。この実施形態では、折り畳みボード１１２の外面は、チューブ１７６の外面を含む。折り畳みボード１１２の一部は、単に冷却流体が供給される露出チューブ１７６である。例えば、折り畳みボード１１２の大部分は、チューブ１７６であってもよい。
【００７９】
上記の実施形態では、入口１７０は前縁１３０に隣接して示され、出口１７４は後縁１３２に隣接して示されている。
【００８０】
しかしながら、当業者は、通路１４４を通る冷却流体の流れが折り畳みボード１１２から熱を放散するために、入口１７０および出口１７４が任意の適切な方法で構成され得ることを理解するであろう。通路１４４は、上部折り畳みボード１１２を介して示されているが、同様の通路１４４を下部折り畳みボード１１３に配置してもよい。例えば、いくつかの実施形態では、通路１４４は、図２〜図５に示される折り畳みボードアセンブリ１０６の上部および下部折り畳みボード１１２、１１３の一部またはすべてを介して配置されてもよい。さらに、図８Ｂに示されるように、折り畳みボード１１２、１１３の一部またはすべては、主に露出したチューブ１７６からなるように構成されてもよい。
【００８１】
いくつかの実施形態では、冷却システム１５０は、折り畳みボード１１２、１１３、または支持構造アセンブリ１２８の１つに熱的に結合された１または複数の構造を通して冷却流体を提供してもよい。例えば、図３に戻って言及すると、支持構造アセンブリ１２８の１または複数の構成要素１２９、１３１、１３３は、その中に配置された通路（図示せず）を含んでいてもよく、冷却システム１５０はその通路を通じて、折り畳みボードアセンブリ１０６から熱を放散するための冷却流体を提供するよう構成されてもよい。例えば、プレート１１４、１１６のうちの１以上は、通路がプレナム内の大きな空洞となるように、プレナムとして構成されてもよい。
【００８２】
本明細書で使用される「熱的に結合された」とは、熱がそれらの間を流れることができるように接続されていることを意味する。
【００８３】
図８Ｃを参照すると、支持構造アセンブリ１２８から分離されてもよい追加構造１８４は、１以上の折り畳みボード１１２、１１３に直接熱的に結合されてもよく、その中に配置された通路１４４を含んでいてもよい。上述したように、追加構造１８４は、冷却システム１５０が冷却流体を供給するよう構成される入口１７０および出口１７４を含んでいてもよい。
【００８４】
同様に、図８Ｄに示す別の実施形態では、追加構造１８４は、折り畳みボード１１２が取り付けられるプレート１１４に結合されてもよい。あるいは、追加構造１８４は、支持構造アセンブリ１２８と熱的に結合されてもよい。追加構造１８４は、通路１４４、入口１７０、および出口１７４を含んでいてもよい。図８Ｄと８Ｅにおいて、通路１４４は機械方向１０８にらせん状に巻かれたものとして示されている。
【００８５】
他の実施形態では、通路１４４は、代わりに横機械方向１１１で前後に蛇行してもよい。これらの構成は、通路１４４の長さおよび冷却流体と追加構造１８４との間の接触面積を増加させることにより、熱放散を改善することができる。しかしながら、追加構造１８４を通る通路１４４は、任意の適切な形状を有していてもよい。同様に、入口１７０および出口１７４は、冷却システム１５０が通路１４４を通る冷却流体の流れを提供して、折り畳みボードアセンブリ１０６から熱を放散することができるように、追加構造１８４上の任意の適切な位置に配置されていてもよい。
【００８６】
図８Ｅを参照すると、冷却システム１５０は、折り畳みボード１１２、１１３、支持構造アセンブリ１２８、または追加構造１８４のうちの１または複数の中に配置された１または複数の通路１４４を介して気体の流れを提供するように構成された、ファンまたは送風機１７８を含んでいてもよい。例えば、図８Ｅに示すように、送風機１７８は、導管１６２を介して通路１４４の入口１７０と流体的に接続されてもよい。折り畳みボード１１２は、ウェブ１０４との接触面１９２を含んでもよく、通路１４４の１以上の出口１７４は、気体が出口１７４を通って流出するように、接触面１９２に隣接して配置されてもよい。
【００８７】
本明細書で使用される場合、「隣接する」は、近くにあることまたは上にあることの両方を指す。したがって、上記の実施形態では、通路１４４の出口１７４は、ウェブ１０４との接触面１９２上に配置してもよい。さらに、２つの出口１７４を有するものとして示されているが、通路１４４は、ウェブ１０４との接触面１９２に沿って配置された追加の出口１７４を有していてもよい。例えば、出口１７４は、接触面１９２の最も過熱しやすい部分に配置されてもよい。いくつかの実施形態では、複数の通路１４４が単一の折り畳みボード１１２内に配置されてもよい。さらに、冷却システム１５０は、通路１４４に気体を供給する前に気体を冷却して、折り畳みボード１１２をより効果的に冷却するように構成されてもよい。出口１７４からの気体の流れはまた、ウェブ１０４と折り畳みボード１１２との間の摩擦を低減することがある。
【００８８】
別の実施形態では、冷却システム１５０は、折り畳みボード１１２、１１３のペア１１５のうちの少なくとも１つとウェブ１０４との間の接触領域に向けられる外部空気流を提供するように構成されてもよい。例えば、図３へ戻って言及すると、冷却システム１５０は、折り畳みボードアセンブリ１０６に隣接して配置され、対流によって折り畳みボードアセンブリ１０６からの熱を放散するために、プレート１１４、１１６の間に外部空気流を提供するように構成されたファンまたは送風機１７８を構成してもよい。
【００８９】
上述の冷却システム１５０に加えて、またはその代替として、折り畳みボードアセンブリ１０６は、受動的手段を通じて熱をより効果的に放散するように設計されてもよい。例えば、１または複数のサーマルフィン２００は、サーマルフィン２００が折り畳みボードアセンブリ１０６から熱を引き出すように折り畳みボードアセンブリ１０６の構成要素と熱的に結合されてもよい。例えば、図８Ｆに示されるように、サーマルフィン２００は、折り畳みボードアセンブリ１０６の上部プレート１１４に取り付けられてもよい。
【００９０】
しかしながら、他の実施形態では、サーマルフィン２００は、折り畳みボード１１２、１１３、または他の任意の適切な構造（例えば、支持構造アセンブリ１２８または追加構造１８４など）に直接取り付けられ、熱が折り畳みボード１１２、１１３からサーマルフィン２００へ流れるようになっていてもよい。サーマルフィン２００は、機械方向１０８において折り畳みボード１１２の長さのごく一部にのみ延びるように示されているが、サーマルフィン２００は、任意の適切な寸法であってよく、任意の適切な材料を含んでいてもよい。例えば、サーマルフィン２００は、アルミニウム、スチールなどのような熱伝導性材料で作られていてもよい。さらに、サーマルペーストまたは接着剤を使用して、サーマルフィン２００を接着してもよい。対流を介して折り畳みボードアセンブリ１０６からの熱放散を改善するように、任意の適切な方法がサーマルフィン２００を熱的に結合するために使用されてもよい。
【００９１】
受動的および／または強制対流を使用して、サーマルフィン２００から熱を除去してもよい。例えば、一実施形態では、図３を参照して説明した送風機１７８を使用して、サーマルフィン２００上に空気の流れを提供してもよい。いくつかの実施形態では、カウリングは、送風機１７８からの空気の流れをサーマルフィンの上に導くために、サーマルフィン２００の一部またはすべての周りに配置されてもよい。そのような構成は、サーマルフィン２００から空気の流れへの対流を改善することができる。
【００９２】
折り畳みボードアセンブリ１０６または折り畳みボード１１２、１１３自体が、折り畳みボードアセンブリ１０６の受動冷却を改善するように設計または構成されていてもよい。例えば、図８Ｇは、折り畳みボード１１２の一部を貫通して画定された複数の孔２０４を有する折り畳みボード１１２を示す。例えば、孔２０４は、横機械方向１１１に延びていてもよい。明確に記述するために、図８Ｇでは、孔２０４の３つだけに符号付けされている。このような構成は、折り畳みボードアセンブリ１０６を通る空気循環を改善し、それによって対流による受動的熱放散を改善することができる。
【００９３】
折り畳みボード１１２の不連続面は、ディンプル、バンプ、孔、スロット、溝、またはそれらの組み合わせを含んでいてもよい。ウェブ１０４が自動化製造ラインシステム１００を通過するとき、折り畳みボード１１２の不連続面はウェブ１０４に接触してもよい。他の実施形態では、折り畳みボード１１２の１または複数の端部は、ウェブ１０４に接触する不連続面を有していてもよい。例えば、いくつかの実施形態では、前縁１３０は不連続面を有していてよい。不連続面は、例えば、複数の孔と、孔に隣接するバンプまたは隆起部とを含んでいてもよい。このような構成は、バンプまたは隆起部が折り畳みボード１１２とウェブ１０４との間の接触面積を減少させることがあるため、発熱を減少させることがある。同様に、孔が接触面近くの空気の流れを改善するため、そのような構成は熱放散を改善することがある。
【００９４】
図８Ｈを参照すると、別の実施形態では、折り畳みボード１１２は、ウェブ１０４と折り畳みボード１１２との間の境界面に１または複数のローラ２０８を含む。ローラ２０８は、折り畳みボード１１２に回転可能に取り付けられ、任意の適切な形状を有し、任意の適切な方法を使用して取り付けられてもよい。例えば、ローラ２０８は、円筒形または球形であってもよく、軸方向ベアリングを用いて取り付けられてもよく、または代替的に、部分的に、それらが自由に回転するようにソケット内に配置されてもよい。
【００９５】
ローラ２０８は、ウェブ１０４と折り畳みボード１１２との間の摩擦を低減することができる。例えば、ウェブ１０４がローラ２０８上を搬送されると、ローラ２０８は、ウェブ１０４の表面に沿って転がり、ウェブ１０４の接触面１９２と折り畳みボード１１２との間の滑り接触を防止または低減することができる。その結果、ローラ２０８は、折り畳みボード１１２とウェブ１０４との間の境界面での発熱を低減することができる。
【００９６】
上記の実施形態は、単一の上部折り畳みボード１１２を参照して説明されているが、図２〜図５に示される折り畳みボードアセンブリ１０６の折り畳みボード１１２、１１３の一部またはすべては、図８Ｇ〜８Ｈに示されるように構成されてもよい。さらに、本明細書に記載のシステムおよび方法の任意の適切な組み合わせを組み合わせて使用してもよい。例えば、図８Ｇに記載および示される折り畳みボード１１２は、冷却システム１５０が冷却流体を提供する通路を含んでいてもよい。そのような実施形態では、冷却システム１５０は、通路を通る液体の流れを提供する閉鎖システムとしてもよい。
【００９７】
あるいは、図８Ｅを参照して説明したように、冷却システムは気体の流れを提供してもよく、出口は、図８Ｇに示す孔２０４を画定する折り畳みボード１１２の内縁に沿って配置されてもよい。
【００９８】
いくつかの実施形態では、折り畳みボードアセンブリ１０６は、ウェブ１０４との摩擦を低減するために低摩擦コーティングを含むとよい。例えば、折り畳みボード１１２は、ウェブ１０４と接触する折り畳みボードの一部に沿ってそのようなコーティングを含むことよい。低摩擦コーティング材料の例には、酸化ジルコニウム、Ａｅｒｏｌｏｎ（Ｔｎｅｍｅｃ  Ｃｏｍｐａｎｙ、Ｉｎｃ．から市販されているコーティング）、セラミック、およびエンジニアリングプラスチックが含まれる。当業者は、本明細書に記載された様々な実施形態のさらに別の組み合わせが可能であり、この開示の範囲内であることを理解されたい。
【００９９】
上記で特に示され、記載された材料は、限定することを意図するものではなく、それよりも、本主題の様々な例示的な実施形態を示し、教示するのに役立つ。添付の特許請求の範囲に記載されているように、本発明の範囲は、本明細書で論じられている様々な特徴の組み合わせおよび部分的組み合わせの両方を、当技術分野の当業者が想到するような変更および修正とともに含む。
【図１】
2020537053.tif 000003
【図２】
2020537053.tif 000004
【図３】
2020537053.tif 000005
【図４】
2020537053.tif 000006
【図５】
2020537053.tif 000007
【図６Ａ】
2020537053.tif 000008
【図６Ｂ】
2020537053.tif 000009
【図６Ｃ】
2020537053.tif 000010
【図７】
2020537053.tif 000011
【図８Ａ】
2020537053.tif 000012
【図８Ｂ】
2020537053.tif 000013
【図８Ｃ】
2020537053.tif 000014
【図８Ｄ】
2020537053.tif 000015
【図８Ｅ】
2020537053.tif 000016
【図８Ｆ】
2020537053.tif 000017
【図８Ｇ】
2020537053.tif 000018
【図８Ｈ】
2020537053.tif 000019
【国際調査報告】
2020537053.tif 000020
2020537053.tif 000021
2020537053.tif 000022